(57)【要約】【課題】  現在一般的に使用される封筒は、開口部周囲の開口縁が裁断縁であり、内容物を出し入れするときに、裁断縁と手指の皮膚との接触により、皮膚を傷害する危険性がある。この危険性を、低コストで、デザイン面でも優れた方法で解決する。【解決手段】封筒の蓋が付着していない開口部周囲の開口縁を屈曲部として形成する。この屈曲部は、開口縁に形成された折り代を折畳んだ屈曲部からなるものと、封筒の袋状本体とは別の部分品として形成された被覆材を開口部の裁断縁を覆うように付着させて折畳んだ屈曲部からなるものとの、両方の手段が利用できる。この手段では、開口縁の強度が増強される。また折り代の形状や被覆材の素材及びデザインを工夫する余地が大きく、審美的に追加効果を得ることも容易である。屈曲部は長いほど手指傷害の危険性を減弱できるが、封筒の重量等を勘案して決めることが可能である。【選択図】図１
2013220852.tif 000002
【特許請求の範囲】
【請求項１】
開口部が形成された袋状本体と、
開口部周囲の蓋形成部分に形成された蓋とを有する封筒であって、
前記開口部周囲の部分で前記蓋形成部分とは別の部分の、一部分か或は全部分かに、折畳まれた折畳み構造を有しており、
前記折畳み構造の折畳まれた屈曲部が、前記開口部周囲の部分で前記折り畳み構造を有する部分の開口縁となっている封筒
【請求項２】
開口部が形成された袋状本体と、
開口部周囲の蓋形成部分に形成された蓋とを有する封筒であって、
前記開口部周囲の部分で前記蓋形成部分とは別の部分の、一部分か或は全部分かが、前記袋状本体と一体の部分として折り代が形成された折り代形成部分となっており、
前記折り代が、前記袋状本体の外側へ折畳まれるか、或は前記袋状本体の内側へ折畳まれるかして、
前記折り代が折畳まれた屈曲部が、前記折り代形成部分の開口縁となっている封筒
【請求項３】
開口部が形成された袋状本体と、
開口部周囲の蓋形成部分に形成された蓋とを有する封筒であって、
前記開口部周囲の部分で前記蓋形成部分とは別の部分の、一部分か或は全部分かが、前記袋状本体と一体の部分として２個以上の折り代が形成された折り代形成部分となっており、
２個以上の前記折り代が個個に、前記袋状本体の外側へ折畳まれるか、或は前記袋状本体の内側へ折畳まれるかして、
２個以上の前記折り代が折畳まれた個個の屈曲部が、前記折り代形成部分の開口縁となっている封筒
【請求項４】
開口部が形成された袋状本体と、
開口部周囲の蓋形成部分に形成された蓋とを有する封筒であって、
前記袋状本体とは別に形成された部分品として、１個以上の被覆材が折畳まれて付属しており、
前記開口部周囲の部分で前記蓋形成部分とは別の部分の、一部分か或は全部分かの裁断縁を、
１個以上の前記被覆材が、該被覆材の折畳まれた内面で挟む状態で、
前記袋状本体の開口部周囲に付着して、
１個以上の前記被覆材の折畳まれた屈曲部が、１個以上の前記被覆材の付着部の開口縁となっている封筒
【請求項５】
封筒に形成された時に開口縁となる、開口縁相当部分に１個以上の折り代が形成された展開図型封筒用紙であって、
封筒に形成された時に、前記請求項２に記された封筒か、前記請求項３に記された封筒かに形成可能な、
展開図型封筒用紙
【発明の詳細な説明】
【技術分野】
【０００１】  本発明は、出し入れ時に手や指先を傷害する危険性を減らすことのできる、安全性を高めた郵便用封筒、事務用封筒、点袋等の封筒に関する。
【背景技術】
【０００２】  郵便用封筒、事務用封筒、点袋等の封筒は、一般的には、袋状本体と、内容物を袋状本体に出し入れするために形成された開口部と、内容物を袋状本体の内側にとどめるための蓋とからなっている。開口部の周囲を形成する開口部周囲は、多くの場合、蓋の形成された部分である蓋形成部分と、蓋の形成されていない部分である開口縁とからなる。本出願書類の文中において、封筒の開口部周囲で蓋が形成された部分は、蓋形成部分と記している。従来の封筒は蓋の無い開口縁の部分は素材の裁断縁の状態である。本出願書類の文中において、素材の裁断縁からなる封筒の開口部周囲の開口縁を、裁断開口縁と記す。また通常は宛名や顧客名等を記入する側が表側とされ、反対側が裏側とされ、本出願書類の文中の記述もこれにしたがっている。裏側に糊代等による袋状本体の接着部分が形成されることが一般的に多い。また、特に断りの無い限り、本出願書類の文中では、内側は袋状本体の内側を示し、外側は袋状本体の外側を示し、内面は袋状本体の内面を示し、外面は袋状本体の外面を示す。また封筒の袋状本体には、目的にあわせて側面にマチが形成されたり、底部に角底が形成されたりすることもある。【０００３】  以下、図１９から図２１により、センター貼り封筒を一例に従来の封筒について説明する。図１９は一般的なセンター貼り封筒の裏面図である。袋状本体は表側部分１１ｚと左裏側部分１６ｚと右裏側部分１７ｚと底部分１３ｚとから形成されている。上谷折線８２ｚと左裁断開口縁２６ｚと右裁断開口縁２７ｚとで開口部周囲が形成され、この開口部周囲で囲まれた部分が開口部２９ｚである。袋状本体の上部に形成された開口部２９ｚの表側に、袋状本体と一体の部分として蓋１２ｚが形成され、上谷折線８２ｚにより折畳み可能となっている。蓋１２ｚが形成されていない開口部周囲は裁断開口縁となっており、この形態の封筒では左裏側部分１６ｚの開口部周囲の左裁断開口縁２６ｚと、右裏側部分１７ｚの開口部周囲の右裁断開口縁２７ｚとで開口縁が形成されている。底部分１３ｚを左裏側部分１６ｚと右裏側部分１７ｚとに貼り付けて、袋状本体の底部が形成されている。【０００４】  一般的に封筒は素材が紙の場合、通常は封筒を展開した形に相当する型紙から、糊付けや折畳み、貼り付け等の過程を得て形成される。本出願書類の文中では、展開図型封筒用紙は、封筒を展開した形に相当する封筒形成可能な用紙のことを示す。図２０は、図１９の一般的なセンター貼り封筒の展開図型封筒用紙を袋状本体の内側にあたる方向から見た図である。表側部分１１ｚの上部に蓋１２ｚが形成され、表側部分１１ｚの左右にそれぞれ左裏側部分１６ｚと右裏側部分１７ｚとが形成され、表側部分１１ｚの下部に底部分１３ｚが形成されている。【０００５】  左裏側部分１６ｚと右裏側部分１７ｚと底部分１３ｚとが、表側部分１１ｚとの間のそれぞれの谷折線である、左谷折線８６ｚと右谷折線８７ｚと下谷折線８３ｚとで、この順に、内側にあたる方向に折畳まれて、左裏側部分１６ｚか右裏側部分１７ｚか底部分１３ｚかのいずれか２部分の重なり部分を糊代として接着され、表側部分１１ｚとともに封筒の袋状本体を形成する。形成時に開口縁となる展開図型封筒用紙���部分を、本出願書類の文中では開口縁相当部分と記し、この展開図型封筒用紙においては左裏側部分１６ｚの上部の裁断縁が左開口縁相当部分３６ｚで、右裏側部分１７ｚの上部の裁断縁が右開口縁相当部分３７ｚである。【０００６】  図２１は、図１９のＺ−Ｚ線縦断面図である。袋状本体の一部の表側部分１１ｚに、これと一体の部分として蓋１２ｚが形成されている。蓋１２ｚは、内容物を袋状本体の内側にとどめる目的等のため、必要に応じて上谷折線８２ｚで右裏側部分１７ｚの外面まで折り曲げられ、開口部２９ｚを覆う。袋状本体の一部の右裏側部分１７ｚの開口縁は、右裁断開口縁２７ｚとなっている。【０００７】  従来の封筒の一例としてセンター貼り封筒を示したが、スミ貼り、カマス貼り、洋封筒等の封筒の種類毎に、封筒の袋状本体を形成する表側部分と裏側部分と底部分とは、様々な形状をなしている。しかし、従来の一般的な封筒はいずれも、開口部が形成された袋状本体と、開口部周囲の蓋形成部分に蓋が形成された封筒であって、蓋が形成されていない開口部周囲の開口縁は素材の裁断縁で形成された裁断開口縁となっている。このため、文書や物品等の中身の出し入れ時に、裁断開口縁により手指等の皮膚を傷害する可能性がある。特に比較的丈夫で薄い紙を素材とする封筒で、その傾向が顕著である。これらの封筒は、文書の他に資料や物品、金銭等をいれて顧客等へ渡す際の入れ物として使うことも多く、傷害性の強い封筒が送り主や売主、商品等の印象を損なう原因となりうる。【０００８】  開口縁に関しては、主に手指の保護の目的で、特許文献１の様に、改良した製品が先行技術として考案されている。その先行技術の封筒は、開口縁が細かい角丸の波形線等凹曲凸曲線状に裁断されている封筒で、開口部周囲に連設された蓋の切縁も同様の形状に裁断することもある。また、裁断縁に形状をもたせることで、審美性や高級感を高める効果も期待されている。
【先行技術文献】
【特許文献】
【０００９】
【特許文献１】  特許公開２０００−２３８７９２
【発明の概要】
【発明が解決しようとする課題】
【００１０】  以上に述べたように、現在一般的に使用される従来の封筒は、開口部周囲の開口縁が裁断開口縁であり、内容物を出し入れするときに、裁断開口縁と手指の皮膚が接触して、皮膚を傷害する可能性がある。そして従来の封筒のこのような傷害の危険性を減ずるべく、裁断開口縁を細かい角丸の波形線等凹曲凸曲線状に裁断した先行技術の封筒では、まず、素材の紙質や裁断縁の状態によっては必ずしも危険性を減弱できないこと、また、特殊な形状を有する切断面を加工するための特別な装置が必要なこと、さらに、凹曲凸曲線状に裁断された紙は直線状の形状に比べて折れ曲がったり紙の層がめくれたりしやすく、高級感や清潔感を損なう可能性が高いこと、前記の諸問題を解決するために裁断縁に特殊な加工を追加する必要等が生じうることなどの点が問題として残る。【００１１】  本発明は、このような従来の技術が有していた問題を解決しようとするものであり、開口部周囲の裁断開口縁が皮膚を傷害する危険性を大きく減弱し、見た目の清潔感や高級感を損ねることなく、それらの効果を安価なコストで実現可能とする封筒を実現することを目的とするものである。
【課題を解決するための手段】
【００１２】  そして、上記目的を達成するための第１の課題解決手段は、以下の如き封筒の発明である。開口部が形成された袋状本体と、開口部周囲の蓋形成部分に形成された蓋とを有する封筒であって、前記開口部周囲の部分で前記蓋形成部分とは別の部分の、一部分か或は全部分かに、折畳まれた折畳み構造を有している。さらに前記折畳み構造の折畳まれた屈曲部が、前記開口部周囲の部分で前記折畳み構造を有する部分の開口縁となっている封筒の発明である。【００１３】  また、第２の課題解決手段は、以下の如き封筒の発明である。開口部が形成された袋状本体と、開口部周囲の蓋形成部分に形成された蓋とを有する封筒であって、前記開口部周囲の部分で前記蓋形成部分とは別の部分の、一部分か或は全部分かが、前記袋状本体と一体の部分として折り代が形成された折り代形成部分となっている。そして前記折り代が、前記袋状本体の外側へ折畳まれるか、或は前記袋状本体の内側へ折畳まれるかしている。そして、前記折り代が折畳まれた屈曲部が、前記折り代形成部分の開口縁となっている封筒の発明である。そして、前述の折り代形成部分とは、開口部周囲の開口縁で折り代が形成された部分のことであり、本出願書類の文中の他の部分でもこの意味で使用している。【００１４】  また、第３の課題解決手段は、以下の如き封筒の発明である。開口部が形成された袋状本体と、開口部周囲の蓋形成部分に形成された蓋とを有する封筒であって、前記開口部周囲の部分で前記蓋形成部分とは別の部分の、一部分か或は全部分かが、前記袋状本体と一体の部分として２個以上の折り代が形成された折り代形成部分となっている。そして、２個以上の前記折り代が、個個に、前記袋状本体の外側へ折畳まれるか、或は前記袋状本体の内側へ折畳まれるかしている。そして、２個以上の前記折り代が折畳まれた個個の屈曲部が、前記折り代形成部分の開口縁となっている封筒の発明である。【００１５】  また、第４の課題解決手段は、以下の如き封筒の発明である。開口部が形成された袋状本体と、開口部周囲の蓋形成部分に形成された蓋とを有する封筒であって、前記袋状本体とは別に形成された部分品として、１個以上の被覆材が折畳まれて付属している。そして前記開口部周囲の部分で前記蓋形成部分とは別の部分の、一部分か或は全部分かの裁断縁を、１個以上の前記被覆材が、該被覆材の折畳まれた内面で挟む状態で、前記袋状本体の開口部周囲に付着している。これにより１個以上の前記被覆材の折畳まれた屈曲部が、１個以上の前記被覆材の付着部の開口縁となっている封筒の発明である。【００１６】  また、第５の課題解決手段は、以下のごとき発明である。封筒に形成された時に開口縁となる開口縁相当部分に１個以上の折り代が形成された展開図型封筒用紙であって、封筒に形成された時に、前記第２の解決手段の封筒の発明か、前記第３の解決手段の封筒の発明かに形成可能な、展開図型封筒用紙の発明である。【００１７】  上記第１の課題解決手段による作用は次の通りである。すなわち、封筒の開口部周囲で蓋形成部分とは別の部分の、一部分か或は全部分かの開口縁が、折畳み構造の屈曲部となっていることにより、封筒への物品等の出し入れの際に、その部分で皮膚は折畳み構造の屈曲部に接する。このことにより、封筒本体の素材の裁断縁が皮膚に触れる可能性を減らす事ができるため、素材の裁断縁との接触による皮膚の傷害の可能性を減ずる。開口部周囲の折畳み構造を形成する部位の長さは、より長いほど傷害の可能性を減ずる効果が大きいが、希望する発明の利用状況や封筒の重量等を勘案して決定することができる。さらに開口縁が折畳み構造の屈曲部となっている事で、開口部周囲の強度を増す追加的効果もある。【００１８】  また、第２の課題解決手段による作用は次の通りである。すなわち、封筒の開口部周囲で蓋形成部分とは別の部分の、一部分か或は全部分かが、袋状本体と一体の部分として折り代が形成された折り代形成部分となっていて、この折り代が袋状本体の外側へ折畳まれるか、或は袋状本体の内側へ折畳まれるかしている。これにより、折り代が折畳まれた屈曲部が、折り代形成部分の開口縁となり、封筒本体の素材の裁断縁が皮膚に触れる可能性を減らす事ができる。このことにより、素材の裁断縁との接触による皮膚の傷害の可能性を減ずる。開口部周囲の折り代形成部分の長さは、より長いほど傷害の可能性を減ずる効果が大きいが、想定する発明の利用状況や封筒の重量等を勘案して、決定することができる。また、開口縁が折畳まれた構造の屈曲部となっている事で、開口部周囲の強度を増す追加的効果もある。さらに、この発明は封筒の作製過程において、従来の封筒の展開図型封筒用紙の開口縁相当部分に、折り代を付加するか、或は折り代を設定するかすることで作製できるため、従来の作製過程を大きく変更しないで良い産業状の利点もある。【００１９】  また、第３の課題解決手段による作用は次の通りである。すなわち、封筒の開口部周囲で蓋形成部分とは別の部分の、一部分か或は全部分かが、折り代形成部分となっている。そして２個以上の折り代が、封筒の袋状本体と一体の部分として、前記折り代形成部分に形成されており、２個以上の前記折り代が、個個に、袋状本体の外側へ折畳まれるか、或は袋状本体の内側へ折畳まれるかしている。そして、２個以上の前記折り代が折畳まれた個個の屈曲部が、前記折り代形成部分の開口縁となっていて、この部分で封筒本体の素材の裁断縁が皮膚に触れないため、素材の裁断縁との接触による皮膚の傷害の可能性を減ずることができる。開口部周囲の折り代形成部分の長さは、より長いほど傷害の可能性を減ずる効果が大きいが、想定する発明の利用状況や封筒の重量等を勘案して決定することができる。また、開口縁が折畳まれた構造の屈曲部となっている事で、開口部周囲の強度を増す追加的効果もある。さらに、この発明は封筒の作製過程において、従来の封筒の展開図型封筒用紙の開口縁相当部分に、２個以上の折り代を、個々に、付加するか或は設定するかすることで作製できるため、従来の作製過程を大きく変更しないで良い産業状の利点もある。【００２０】  また、第４の解決手段による作用は次の通りである。すなわち、封筒の開口部周囲で蓋形成部分とは別の部分の、一部分か或は全部分かの裁断縁を、封筒の袋状本体とは別の部分品として形成された１個以上の折畳まれた被覆材が、その折畳まれた被覆材の内面で挟む状態で、袋状本体に付着している。これにより袋状本体の開口部周囲の、被覆材が付着した部分の裁断縁は、折畳まれた前記被覆材で被覆されて、前記被覆材の屈曲部が開口縁となっており、この部分で封筒本体の素材の裁断縁が皮膚に触れる可能性を減らす事ができる。このことにより、素材の裁断縁との接触による皮膚の傷害の可能性を減ずる。開口部周囲の被覆材の付着する部分の長さは、より長いほど傷害の可能性を減ずる効果が大きいが、想定する発明の利用状況や封筒の重量等を勘案して決定することができる。また開口部周囲に折畳まれた被覆材が付着している事で、開口部周囲の強度を増す追加的効果もある。さらにこの発明では、封筒本体とは別の部分品を使用して作製することにより、文字情報や記号情報や色情報等の付加情報、或はその他の審美的な付加価値等を加えることが容易であり、封筒本体の素材に関係なく被覆材の素材を選択可能であり、また従来の封筒を利用して改良する事も容易で、産業上の利点も大きい。【００２１】  また、第５の解決手段による作用は次の通りである。封筒に形成された時に開口縁となる開口縁相当部分に１個以上の折り代が形成された展開図型封筒用紙であり、封筒形成時に前記１個以上の折り代を折畳むことで、開口縁に折畳まれた構造の屈曲部を形成することができる。このことにより前記第２の解決手段の封筒の発明かまたは前記第３の解決手段の封筒の発明かを、低コストで容易に作製することが可能で、封筒に形成することにより、それらの発明の効果を得ることができる。開口縁相当部分の折り代が形成された部分の長さは、より長いほど傷害の可能性を減ずる効果が大きいが、想定する発明の利用状況や封筒の重量等を勘案して決定することができる。従来の展開図型封筒用紙に、折り代を形成することで作製できるため、従来の作製過程を大きく変更しないで良い産業上の利点もある。
【発明の効果】
【００２２】  上述のごとく、本発明の郵便用封筒、事務用封筒、点袋等の封筒は、開口部周囲の開口縁を屈曲部で形成する事により、書類や物品等の出し入れにともなう、袋状本体の素材の裁断縁による皮膚傷害の危険性を減少させ、さらに開口縁の強度をあげることも可能である。開口縁のほとんどすべてを屈曲部位で形成する事で、皮膚傷害の可能性をほとんど無くする事も可能となる。また、提示した解決手段はいずれも袋状本体の構造に関わらず実施可能なため、袋状本体にマチが形成されている封筒や角底の封筒等の場合でも、本発明の実施には本体の形状を問わない。産業上の利点も大きい。まず、従来の展開図型封筒用紙の開口縁相当部分に、折り代を形成するか或は折り代を設定するかすることで作成可能となる課題解決手段と、従来の封筒に被覆材を付着させることで作成可能となる課題解決手段とを提示したが、どちらの方法も従来の作製過程を大きく変更する必要がない。また折り代の形状等に工夫を加えたり、被覆材の素材や形状等に工夫を加えたりする事が可能であり、付加情報や付加価値を有する商品の開発も容易となる。
【図面の簡単な説明】
【００２３】
【図１】  本発明の第１の実施形態の封筒の一例の裏面図である。
【図２】  図１の実施形態の封筒の展開図型封筒用紙の一例の図である。
【図３】  図１の実施形態の開口部の縦断面の一例の図である。
【図４】  図１の実施形態の開口部の縦断面の別の一例の図である。
【図５】  本発明の第２の実施形態の封筒の一例の裏面図である。
【図６】  図５の実施形態の封筒の展開図型封筒用紙の一例の図である。
【図７】  図５の実施形態の封筒の開口部の縦断面の一例の図である。
【図８】  図５の実施形態の封筒の開口部の縦断面の別の一例の図である。
【図９】  本発明の第３の実施形態の封筒の一例の裏面図である。
【図１０】  図９の実施形態の封筒の展開図型封筒用紙の一例の図である。
【図１１】  図９の実施形態の封筒の開口部の縦断面の一例の図である。
【図１２】  本発明の第４の実施形態の封筒の一例の裏面図である。
【図１３】  図１２の実施形態の封筒の展開図型封筒用紙の一例の図である。
【図１４】  図１２の実施形態の封筒の開口部の縦断面の一例の図である。
【図１５】  本発明の第５の実施形態の封筒の一例の裏面図である。
【図１６】  図１５の実施形態の封筒の展開図型封筒用紙の一例の図である。
【図１７】  本発明の第６の実施形態の封筒の一例の裏面図である。
【図１８】  図１７の実施形態の封筒の展開図型封筒用紙の一例の図である。
【図１９】  一般的なセンター貼り封筒の裏面図である。
【図２０】  一般的なセンター貼り封筒の展開図型封筒用紙の図である。
【図２１】  一般的なセンター貼り封筒の開口部の縦断面図である。
【発明を実施するための形態】
【００２４】  以下、本発明の実施形態の代表的実施例の一部を図１から図１８を用いて説明する。本発明を実施するための封筒の素材としては、通常の封筒の素材として使用される、クラフト紙、上質紙、塗光紙、再生紙等の全ての素材が使用可能である。また、本出願書類の文中の屈曲開口縁とは、屈曲部からなる開口部周囲の開口縁を意味する。
【００２５】  図１は、本発明の第１の実施形態の封筒の一例を裏側から見た図である。袋状本体は、表側部分１１ａと左裏側部分１６ａと右裏側部分１７ａと底部分１３ａとから形成されている。上谷折線８２ａと左屈曲開口縁４６ａと右屈曲開口縁４７ａとで開口部周囲が形成され、開口部周囲に囲まれた部分が開口部２９ａである。開口部２９ａの表側に、前記袋状本体と一体の部分として蓋１２ａが形成され、蓋１２ａは上谷折線８２ａで折畳み可能となっている。左裏側部分１６ａの開口部周囲が、左折り代５６ａが形成された折り代形成部分であり、左折り代５６ａを外側に折畳んだ屈曲部として左屈曲開口縁４６ａが形成されている。右裏側部分１７ａの開口部周囲が、右折り代５７ａが形成された折り代形成部分であり、右折り代５７ａを外側に折畳んだ屈曲部として右屈曲開口縁４７ａが形成されている。開口部周囲に形成された屈曲開口縁により、この封筒への物品等の出し入れに伴う、手指の皮膚と封筒素材の裁断縁との接触をさけることができる。また、折り代の形状を工夫すれば、審美的効果も得ることができる。
【００２６】  図２は、図１の実施形態の封筒の展開図型封筒用紙の一例を袋状本体の内側にあたる方向から見た図である。図示されていない反対側が外側にあたる方向となる。表側部分１１ａの、上部に蓋１２ａが形成され、下部に底部分１３ａが形成され、左右に左裏側部分１６ａと右裏側部分１７ａとが形成されている。左裏側部分１６ａの上部に左折り代５６ａが形成され、右裏側部分１７ａの上部に右折り代５７ａが形成されている。この展開図型封筒用紙から封筒を形成する過程の一例としては、まず、左山折線９６ａで左折り代５６ａが外側にあたる方向に折畳まれ、右山折線９７ａで右折り代５７ａが外側にあたる方向に折畳まれて、折り畳まれた屈曲部である左山折線９６ａと右山折線９７ａとがともに屈曲部からなる開口縁相当部分となる。次に、左裏側部分１６ａと右裏側部分１７ａと底部分１３ａとが、表側部分１１ａとの間のそれぞれの谷折線である左谷折線８６ａと右谷折線８７ａと下谷折線８３ａとで、この順に、内側にあたる方向に折畳まれて、左裏側部分１６ａか右裏側部分１７ａか底部分１３ａかのいずれか２部分の重なり部分を糊代として接着され、表側部分１１ａとともに封筒の袋状本体を形作り、図１の封筒として形成される。使用の際、蓋１２ａは上谷折線８２ａで折り曲げ可能である。
【００２７】  図３は図１のＡ−Ａ線縦断面図の一例である。表側部分１１ａに蓋１２ａが形成され、開口部２９ａを覆うこと等を目的として、上谷折線８２ａで折り曲げ可能となっている。右裏側部分１７ａの折り代形成部分に形成された右折り代５７ａが、袋状本体の外側に折畳まれて、右裏側部分１７ａの外面に接着されている。右折り代５７ａを外側に折畳んだ屈曲部が右屈曲開口縁４７ａとなっている。これにより、開口部２９ａからの内容物の出し入れ時に手指が開口部周囲の素材の裁断縁により傷害される可能性を減らすことが可能である。図３では、右折り代５７ａが右裏側部分１７ａの外面に接着されている様子を表したが、発明の実施にあたり、右折り代５７ａの一部または全部を右裏側部分１７ａの外面と接着しないで発明を実施することも可能である。
【００２８】  図４は、図１のＡ−Ａ線縦断面図の別の一例である。この図に示したように、右折り代５７ａの一部分か或は全部分かを、右裏側部分１７ａと接着せずに折畳むのみとし、封筒として形成後の右折り代５７ａに立体感をもたせ、派生的な効果として審美的効果を高めること等も可能である。この場合は、表側部分１１ａに形成された蓋１２ａを、開口部２９ａを覆うために上谷折線８２ａで折り曲げた時に、右折り代５７ａより下部で、蓋１２ａと右裏側部分１７ａの外面とが接着できるように、蓋１２ａには充分な高さがあることが望ましい。また、左折り代５６ａと左裏側部分１６ａとの縦断面図における関係は、右折り代５７ａと右裏側部分１７ａとの、図３及び図４で前述した縦断面図における関係と同様である。本発明の第１の実施形態の封筒の発明は、以上のように構成されている。
【００２９】  図５は、本発明の第２の実施形態の封筒の一例を裏側から見た図である。袋状本体は、表側部分１１ｂと左裏側部分１６ｂと右裏側部分１７ｂと底部分１３ｂとから形成されている。上谷折線８２ｂと左屈曲開口縁４６ｂと右屈曲開口縁４７ｂとで開口部周囲が形成され、開口部周囲に囲まれた部分が開口部２９ｂである。開口部２９ｂの表側の開口部周囲が蓋形成部分で、ここに前記袋状本体と一体の部分として蓋１２ｂが形成され、蓋１２ｂは上谷折線８２ｂで折畳み可能となっている。開口部２９ｂの裏側の開口部周囲に、袋状本体とは別の部分品として、左被覆材６６ｂと右被覆材６７ｂとが、それぞれ、左裏側部分１６ｂの上部の裁断縁と右裏側部分１７ｂの上部の裁断縁とに取り付けられて、それぞれの屈曲部で上部の裁断縁を被覆している。これにより開口部周囲の裏側部分の開口縁は、左被覆材６６ｂの屈曲部からなる左屈曲開口縁４６ｂと右被覆材６７ｂの屈曲部からなる右屈曲開口縁４７ｂとで構成され、被覆材付着部の屈曲開口縁において、裁断縁との接触による手指の皮膚への傷害を防止できる。これらの被覆材の素材や被覆材を付着させる開口縁の長さは、封筒の重量や開口縁の強度、想定される封筒の使用状況等を勘案して決めることができる。被覆材には、封筒本体と異なる素材を使用することも可能である。また、被覆材の形状や色や模様にデザイン性をもたせたり、文字情報等の付加価値をつけたりすることも可能である。
【００３０】  図６は、図５の実施形態の封筒の展開図型封筒用紙の一例を袋状本体の内側にあたる方向から見た図である。図示されていない反対側が外側にあたる方向となる。表側部分１１ｂの、上部に蓋１２ｂが形成され、下部に底部分１３ｂが形成され、左右に左裏側部分１６ｂと右裏側部分１７ｂとが形成されている。左裏側部分１６ｂの上部には左被覆材６６ｂが、折り畳まれる前の状態で、左裏側部分１６ｂとの重なり部分を糊代として接着されて図に示されており、右裏側部分１７ｂの上部には右被覆材６７ｂが、折畳まれる前の状態で、右裏側部分１７ｂとの重なり部分を糊代として接着されて図に示されている。この展開図型封筒用紙から封筒を形成する過程の一例としては、まず、左山折線９６ｂで左被覆材６６ｂの上辺が外側にあたる方向に折畳まれ、右山折線９７ｂで右被覆材６７ｂの上辺が外側にあたる方向に折畳まれて、左山折線９６ｂと右山折線９７ｂとがそれぞれ、左裏側部分１６ｂと右裏側部分１７ｂとの上部裁断縁を覆って屈曲部からなる開口縁相当部分となる。次に、左裏側部分１６ｂと右裏側部分１７ｂと底部分１３ｂとが、表側部分１１ｂとの間のそれぞれの谷折線である左谷折線８６ｂと右谷折線８７ｂと下谷折線８３ｂとで、この順に、内側にあたる方向に折畳まれて、左裏側部分１６ｂか右裏側部分１７ｂか底部分１３ｂかのいずれか２部分の重なり部分を糊代として接着され、表側部分１１ｂとともに封筒の袋状本体を形作り、図５の封筒として形成される。使用の際、蓋１２ｂは上谷折線８２ｂで折り曲げ可能である。
【００３１】  図７は図５のＢ−Ｂ線縦断面図の一例である。表側部分１１ｂに蓋１２ｂが形成され、開口部２９ｂを覆うこと等を目的として、上谷折線８２ｂで折り曲げ可能となっている。折畳まれた右被覆材６７ｂが右裏側部分１７ｂの内面と外面とに接着して取り付けられ、右裏側部分１７ｂの上部裁断縁を覆う形で、右被覆材６７ｂの屈曲部が右屈曲開口縁４７ｂとなっている。これにより、開口部２９ｂからの内容物の出し入れ時に手指が開口部周囲の素材の裁断縁により傷害される可能性を減らすことが可能である。
【００３２】  図８は、図５のＢ−Ｂ線縦断面図の別の一例である。この図に示したように、右被覆材６７ｂの、一部分か或は全部分かを、右裏側部分１７ｂの外面と接着せずに折畳むのみとし、封筒として形成後の右被覆材６７ｂに立体感をもたせ、派生的な効果として審美的効果を高めること等も可能である。この場合は、表側部分１１ｂに形成された蓋１２ｂを、開口部２９ｂを覆うために上谷折線８２ｂで折り曲げた時に、右被覆材６７ｂより下部で蓋１２ｂと右裏側部分１７ｂの外面とが接着できるように、蓋１２ｂには充分な高さがあることが望ましい。また、左被覆材６６ｂと左裏側部分１６ｂとの縦断面図における関係は、右被覆材６７ｂと右裏側部分１７ｂとの、図７及び図８とで前述した縦断面図における関係と同様である。本発明の第２の実施形態の封筒の発明は、以上のように構成されている。
【００３３】  図９は、本発明の第３の実施形態の封筒の一例を裏側から見た図である。袋状本体は、表側部分１１ｃと左裏側部分１６ｃと右裏側部分１７ｃと底部分１３ｃとから形成されていて、この袋状本体は一般的にスミ貼りと呼ばれる形態の袋状本体である。上谷折線８２ｃと左裁断開口縁２６ｃと屈曲開口縁４６ｃと中裁断開口縁２８ｃと右裁断開口縁２７ｃとで開口部周囲が形成され、開口部周囲に囲まれた部分が開口部２９ｃである。開口部２９ｃの表側の開口部周囲が蓋形成部分で、ここに前記袋状本体と一体の部分として蓋１２ｃが形成され、蓋１２ｃは上谷折線８２ｃで折畳み可能となっている。左裏側部分１６ｃの開口部周囲の中央辺りが、折り代５６ｃが形成された折り代形成部分であり、折り代５６ｃを外側に折畳んだ屈曲部として屈曲開口縁４６ｃが形成されている。この部分に形成された屈曲開口縁により、手指の皮膚と封筒素材の裁断縁との接触をさけることができる。
【００３４】  この発明の実施形態において、屈曲開口縁４６ｃは、開口部周囲の裏側の開口縁の中央を含む部分で、その長さは長いほど手指への傷害の可能性を減らす。発明の効果の観点からは、封筒の横幅の４分の１以上か或は２センチメートル以上かの長さである事が望ましい。この長さは、封筒及び封筒材料の重量を勘案したり、想定する発明の利用状況等を勘案したりして決めることができる。左裏側部分１６ｃの開口部周囲で、屈曲開口縁４６ｃ以外の部分は、左裁断開口縁２６ｃと中裁断開口縁２８ｃとなっている。右裏側部分１７ｃの上縁は右裁断開口縁２７ｃとなっている。
【００３５】  図１０は、図９の実施形態の封筒の展開図型封筒用紙の一例を袋状本体の内側にあたる方向から見た説明図である。図示されていない反対側が外側にあたる方向となる。表側部分１１ｃの、上部に蓋１２ｃが形成され、下部に底部分１３ｃが形成され、左右に左裏側部分１６ｃと右裏側部分１７ｃとが形成されている。スミ貼りのため、右裏側部分１７ｃは糊下となっており幅が短い。右裏側部分１７ｃの上縁は、右開口縁相当部分３７ｃとなっている。左裏側部分１６ｃの上縁のほぼ中央部分に折り代５６ｃが形成されている。折り代５６ｃが形成された部分以外の左裏側部分１６ｃの上縁の部分は、左開口縁相当部分３６ｃと中開口縁相当部分３８ｃとなっている。
【００３６】  この展開図型封筒用紙から封筒を形成する過程の一例としては、まず、山折線９６ｃで折り代５６ｃが外側にあたる方向に折畳まれて、折り代５６ｃの少なくとも一部分が左裏側部分１６ｃの外側にあたる面に接着され、山折線９６ｃが屈曲部からなる開口縁相当部分となる。右裏側部分１７ｃと左裏側部分１６ｃと底部分１３ｃとが、表側部分１１ｃとの間のそれぞれの谷折線である右谷折線８７ｃと左谷折線８６ｃと下谷折線８３ｃとで、この順に、内側にあたる方向に折畳まれて、左裏側部分１６ｃか右裏側部分１７ｃか底部分１３ｃかのいずれか２部分の重なり部分を糊代として接着され、表側部分１１ｃとともに封筒の袋状本体を形作り、図９の実施形態の封筒として形成される。使用の際、蓋１２ｃは上谷折線８２ｃで折り曲げ可能である。
【００３７】  図１１は、図９のＣ−Ｃ線縦断面図の一例である。表側部分１１ｃに蓋１２ｃが形成され、開口部２９ｃを覆うこと等を目的として、上谷折線８２ｃで折り曲げ可能となっている。折り代５６ｃが袋状本体の外側に折畳まれて、折り代５６ｃの少なくとも一部分が左裏側部分１６ｃの外面に接着され、折り代５６ｃを外側に折畳んだ屈曲部が屈曲開口縁４６ｃとなっている。これにより、開口部２９ｃからの内容物の出し入れ時に手指が素材の裁断縁で傷害される可能性を減らしている。図１１では、折り代５６ｃが左裏側部分１６ｃの外面に接着されている様子を表したが、発明の実施にあたり、折り代５６ｃの一部を左裏側部分１６ｃの外面と接着しないで発明を実施することも可能である。本発明の第３の実施形態の封筒の発明は、以上のように構成されている。
【００３８】  図１２は、本発明の第４の実施形態の封筒の一例を裏側から見た説明図である。左裏側部分１６ｄの一部が、説明の為の切り取り線９８ｄによって切り取られ、袋状本体の内側に折畳まれた折り代５６ｄの一部の状態を示していて、折り代５６ｄの左裏側部分１６ｄの内側に未だ隠された部分の状態は説明のためのカクレ線９９ｄによって示されている。袋状本体は、表側部分１１ｄと左裏側部分１６ｄと右裏側部分１７ｄと底部分１３ｄとから形成されていて、この袋状本体は一般的にスミ貼りと呼ばれる形態の袋状本体である。上谷折線８２ｄと左裁断開口縁２６ｄと屈曲開口縁４６ｄと中裁断開口縁２８ｄと右裁断開口縁２７ｄとで開口部周囲が形成され、開口部周囲に囲まれた部分が開口部２９ｄである。開口部２９ｄの表側の開口部周囲が蓋形成部分で、ここに前記袋状本体と一体の部分として蓋１２ｄが形成され、蓋１２ｄは上谷折線８２ｄで折畳み可能となっている。左裏側部分１６ｄの開口部周囲の中央辺りが、折り代５６ｄが形成された折り代形成部分であり、折り代５６ｄを内側に折畳んだ屈曲部として屈曲開口縁４６ｄが形成されている。この部分に形成された屈曲開口縁により、手指の皮膚と封筒素材の裁断縁との接触をさけることができる。
【００３９】  この発明の実施形態において、屈曲開口縁４６ｄは、開口部周囲の裏側の開口縁の中央を含む部分で、その長さは長いほど手指への傷害の可能性を減らす。発明の効果の観点からは、封筒の横幅の４分の１以上か或は２センチメートル以上かの長さである事が望ましい。この長さは、封筒及び封筒材料の重量を勘案したり、想定する発明の利用状況等を勘案したりして決めることができる。左裏側部分１６ｄの開口部周囲で、屈曲開口縁４６ｄ以外の部分は、左裁断開口縁２６ｄと中裁断開口縁２８ｄとなっている。右裏側部分１７ｄの上縁は、右裁断開口縁２７ｄとなっている。また、この実施形態の発明は、外見上は従来の封筒と変わりがないため、儀礼的な使用の時も従来の封筒と同様に使用可能である。
【００４０】  図１３は、図１２の実施形態の封筒の展開図型封筒用紙の一例を袋状本体の内側にあたる方向から見た説明図である。図示されていない反対側が外側にあたる方向となる。表側部分１１ｄの、上部に蓋１２ｄが形成され、下部に底部分１３ｄが形成され、左右に左裏側部分１６ｄと右裏側部分１７ｄとが形成されている。スミ貼りのため、右裏側部分１７ｄは糊下となっており幅が短い。右裏側部分１７ｄの上縁は、右開口縁相当部分３７ｄとなっている。左裏側部分１６ｄの上縁のほぼ中央部分に折り代５６ｄが形成されている。折り代５６ｄが形成された部分以外の左裏側部分１６ｄの上縁の部分は、左開口縁相当部分３６ｄと中開口縁相当部分３８ｄとなっている。
【００４１】  この展開図型封筒用紙から封筒を形成する過程の一例としては、まず、折り代部谷折線８５ｄで折り代５６ｄが内側にあたる方向に折畳まれて、左裏側部分１６ｄの内面にあたる部分に接着され、この折り代５６ｄが折畳まれた屈曲部の外側にあたる部分が屈曲部からなる開口縁相当部分となる。次に、右裏側部分１７ｄと左裏側部分１６ｄと底部分１３ｄとが、表側部分１１ｄとの間のそれぞれの谷折線である右谷折線８７ｄと左谷折線８６ｄと下谷折線８３ｄとで、この順に、内側にあたる方向に折畳まれて、左裏側部分１６ｄか右裏側部分１７ｄか底部分１３ｄかのいずれか２部分の重なり部分を糊代として接着され、表側部分１１ｄとともに袋状本体を形作り、図１２の実施形態の封筒として形成される。使用の際、蓋１２ｄは上谷折線８２ｄで折り曲げ可能である。
【００４２】  図１４は図１２のＤ−Ｄ線縦断面図の一例である。表側部分１１ｄに蓋１２ｄが形成され、開口部２９ｄを覆うこと等を目的として、上谷折線８２ｄで折り曲げ可能となっている。折り代５６ｄが袋状本体の内側に折畳まれて、折り代５６ｄの少なくとも一部分が左裏側部分１６ｄの内面に接着され、折り代５６ｄを内側に折畳んだ屈曲部が屈曲開口縁４６ｄとなっている。これにより、開口部２９ｄからの内容物の出し入れ時に手指が素材の裁断縁で傷害される可能性を減らすことが可能である。また、折り代５６ｄが袋状本体の内側に折畳まれるため、外見上は従来の封筒とほとんど変わらない。本発明の第４の実施形態の封筒の発明は、以上のように構成されている。
【００４３】  図１５は、本発明の第５の実施形態の封筒の一例を裏側から見た説明図である。袋状本体の内側に折畳まれた中折り代５４ｅの辺縁が、説明のためのカクレ線９９ｅで示されている。袋状本体は、表側部分１１ｅと底部分１３ｅと左糊下１４ｅと右糊下１５ｅとから形成されていて、袋状本体の裏側の大部分を底部分１３ｅが占めている。この袋状本体は一般的にカマス貼りと呼ばれる形態の袋状本体である。上谷折線８２ｅと左裁断開口縁２６ｅと左屈曲開口縁４３ｅと中屈曲開口縁４４ｅと右屈曲開口縁４５ｅと右裁断開口縁２７ｅとで開口部周囲が形成され、開口部周囲に囲まれた部分が開口部２９ｅである。開口部２９ｅの表側の開口部周囲が蓋形成部分で、ここに袋状本体と一体の部分として蓋１２ｅが形成され、蓋１２ｅは上谷折線８２ｅで折畳み可能となっている。
【００４４】  底部分１３ｅの開口部周囲が折り代形成部分で、左折り代５３ｅと中折り代５４ｅと右折り代５５ｅとが形成されている。左折り代５３ｅを外側に折畳んだ屈曲部からなる左屈曲開口縁４３ｅと、中折り代５４ｅを内側に折畳んだ屈曲部からなる中屈曲開口縁４４ｅと、右折り代５５ｅを外側に折畳んだ屈曲部からなる右屈曲開口縁４５ｅとが、底部分１３ｅの開口部周囲に形成されていて、これにより手指の皮膚と封筒素材の裁断縁との接触をさけることができる。左糊下１４ｅの開口部側の左裁断開口縁２６ｅと、右糊下１５ｅの開口部側の右裁断開口縁２７ｅとは開口部２９ｅの裏側開口部周囲の両端の短い部分のみを占めており、これらによる手指の皮膚障害の可能性は低い。
【００４５】  図１６は、図１５の実施形態の封筒の展開図型封筒用紙を袋状本体の内側にあたる方向から見た説明図である。図示されていない反対側が外側にあたる方向となる。表側部分１１ｅの、上部に蓋１２ｅが形成され、下部に底部分１３ｅが形成され、左右に左糊下１４ｅと右糊下１５ｅとが形成されている。底部分１３ｅの下部に左折り代５３ｅと中折り代５４ｅと右折り代５５ｅとが形成されている。この展開図型封筒用紙から封筒を形成する過程の一例としては、まず、左折り代５３ｅが左山折線９３ｅで外側にあたる方向に折畳まれて裏側部分１３ｅの外側にあたる面に接着され、中折り代５４ｅが折り代部谷折線８４ｅで内側にあたる方向に折畳まれて裏側部分１３ｅの内側にあたる面に接着され、右折り代５５ｅが右山折線９５ｅで外側にあたる方向に折畳まれて裏側部分１３ｅの外側にあたる面に接着され、それぞれの折り代が折り畳まれた屈曲部である左山折線９３ｅと折り代部谷折線８４ｅと右山折線９５ｅとが屈曲部からなる開口縁相当部分となる。
【００４６】  次に、左糊下１４ｅと右糊下１５ｅとが、表側部分１１ｅとの間のそれぞれの谷折線である左谷折線８６ｅと右谷折線８７ｅとで内側にあたる方向に折畳まれた後、底部分１３ｅが表側部分１１ｅとの間の下谷折線８３ｅで内側にあたる方向に折畳まれて、底部分１３ｅと左糊下１４ｅとの重なり部分及び、底部分１３ｅと右糊下１５ｅとの重なり部分がともに糊代として接着され、表側部分１１ｅとともに袋状本体を形作って、図１５の実施形態の封筒として形成される。使用の際、蓋１２ｅは上谷折線８２ｅで折り曲げ可能である。また、封筒として形成された時の開口部縦断面における、底部分１３ｅと左折り代５３ｅとの関係及び、底部分１３ｅと右折り代５５ｅとの関係は、第１の実施形態の開口部縦断面図の図３で示された右裏側部分１７ａと右折り代５７ａとの関係と同様であり、底部分１３ｅと中折り代５４ｅとの関係は、第４の実施形態の開口部縦断面図の図１４で示された左裏側部分１６ｄと折り代５６ｄとの関係と同様である。本発明の第５の実施形態の封筒の発明は、以上のように構成されている。
【００４７】  図１７は、本発明の第６の実施形態の封筒の一例を裏側から見た説明図である。袋状本体は、表側部分１１ｆと左裏側部分１６ｆと右裏側部分１７ｆと底部分１３ｆとで形成されている。上谷折線８２ｆと左裁断開口縁２６ｆと左屈曲開口縁４６ｆと中裁断開口縁２３ｆと右屈曲開口縁４７ｆと右裁断開口縁２７ｆとで開口部周囲が形成され、開口部周囲で囲まれた部分が開口部２９ｆである。開口部２９ｆの表側の開口部周囲が蓋形成部分であり、ここに前記袋状本体と一体の部分として蓋１２ｆが形成され、上谷折線８２ｆにより折畳み可能となっている。この袋状本体は一般的に洋封筒と呼ばれる形態の袋状本体である。
【００４８】  左裏側部分１６ｆの開口部周囲の大部分が、左折り代５６ｆが形成された折り代形成部分で、左折り代５６ｆを外側に折畳んだ屈曲部として左屈曲開口縁４６ｆが形成されている。右裏側部分１７ｆの開口部周囲の大部分が、右折り代５７ｆが形成された折り代形成部分で、右折り代５７ｆを外側に折畳んだ屈曲部として右屈曲開口縁４７ｆが形成されている。これにより、この封筒への物品等の出し入れのときに、手指の皮膚と封筒素材の裁断縁との接触の可能性を減らすことができる。また折り代の形態を工夫する事で、付加価値のある製品を作ることが可能である。折り代の形成されていない左裏側部分１６ｆの開口部周囲の一部は左裁断開口縁２６ｆであり、折り代の形成されていない右裏側部分１７ｆの開口部周囲の一部は右裁断開口縁２７ｆであり、底部分１３ｆの開口部周囲は中裁断開口縁２３ｆであるが、手指の触れにくい部位となるため、通常使用の範囲では手指等の皮膚に接触して傷害をきたす可能性は低い。
【００４９】  図１８は、図１７の実施形態の封筒の展開図型封筒用紙の一例を袋状本体の内側にあたる方向から見た説明図である。図示されていない反対側が外側にあたる方向となる。表側部分１１ｆの、上部に蓋１２ｆが形成され、下部に底部分１３ｆが形成され、左右に左裏側部分１６ｆと右裏側部分１７ｆとが形成されている。左裏側部分１６ｆの上部に左折り代５６ｆが形成され、右裏側部分１７ｆの上部に右折り代５７ｆが形成されている。この展開図型封筒用紙から封筒を形成する過程の一例としては、まず、左山折線９６ｆで左折り代５６ｆが外側にあたる方向に折畳まれ、右山折線９７ｆで右折り代５７ｆが外側にあたる方向に折畳まれて、折畳まれた屈曲部である左山折線９６ｆと右山折線９７ｆとがともに、屈曲部からなる開口縁相当部分となる。次に、左裏側部分１６ｆと右裏側部分１７ｆと底部分１３ｆとが、表側部分１１ｆとの間のそれぞれの谷折線である左谷折線８６ｆと右谷折線８７ｆと下谷折線８３ｆとで、この順に、内側にあたる方向に折畳まれて、左裏側部分１６ｆと底部分１３ｆとの重なり部分及び、右裏側部分１７ｆと底部分１３ｆとの重なり部分がともに糊代として接着され、表側部分１１ｆとともに袋状本体を形作り、図１７の封筒として形成される。
【００５０】  左裏側部分１６ｆの上縁の一部が左開口縁相当部分３６ｆであり、右裏側部分１７ｆの上縁の一部が右開口縁相当部分３７ｆあり、底部分１３ｆの下縁が中開口縁相当部分３３ｆであり、封筒に形成された時にはそれぞれ、図１１における左裁断開口縁２６ｆと右裁断開口縁２７ｆと中裁断開口縁２３ｆとに相当する。使用の際、蓋１２ｆは上谷折線８２ｆで折り曲げ可能である。また、封筒として形成された時の開口部縦断面における、左裏側部分１６ｆと左折り代５６ｆとの関係及び、右裏側部分１７ｆ右折り代５７ｆとの関係は、第１の実施形態の開口部縦断面図の図３及び図４で示された右裏側部分１７ａと右折り代５７ａとの関係と同様である。本発明の第６の実施形態の発明は、以上のように構成されている。
【符号の説明】
【００５１】１１ａ  表側部分
１２ａ  蓋
１３ａ  底部分
１６ａ  左裏側部分
１７ａ  右裏側部分
２９ａ  開口部
４６ａ  左屈曲開口縁
４７ａ  右屈曲開口縁
５６ａ  左折り代
５７ａ  右折り代
８２ａ  上谷折線
８３ａ  下谷折線
８６ａ  左谷折線
８７ａ  右谷折線
９６ａ  左山折線
９７ａ  右山折線
１１ｂ  表側部分
１２ｂ  蓋
１３ｂ  底部分
１６ｂ  左裏側部分
１７ｂ  右裏側部分
２９ｂ  開口部
４６ｂ  左屈曲開口縁
４７ｂ  右屈曲開口縁
６６ｂ  左被覆材
６７ｂ  右被覆材
８２ｂ  上谷折線
８３ｂ  下谷折線
８６ｂ  左谷折線
８７ｂ  右谷折線
９６ｂ  左山折線
９７ｂ  右山折線
１１ｃ  表側部分
１２ｃ  蓋
１３ｃ  底部分
１６ｃ  左裏側部分
１７ｃ  右裏側部分
２６ｃ  左裁断開口縁
２７ｃ  右裁断開口縁
２８ｃ  中裁断開口縁
２９ｃ  開口部
３６ｃ  左開口縁相当部分
３７ｃ  右開口縁相当部分
３８ｃ  中開口縁相当部分
４６ｃ  屈曲開口縁
５６ｃ  折り代
８２ｃ  上谷折線
８３ｃ  下谷折線
８６ｃ  左谷折線
８７ｃ  右谷折線
９６ｃ  山折線
１１ｄ  表側部分
１２ｄ  蓋
１３ｄ  底部分
１６ｄ  左裏側部分
１７ｄ  右裏側部分
２６ｄ  左裁断開口縁
２７ｄ  右裁断開口縁
２８ｄ  中裁断開口縁
２９ｄ  開口部
３６ｄ  左開口縁相当部分
３７ｄ  右開口縁相当部分
３８ｄ  中開口縁相当部分
４６ｄ  屈曲開口縁
５６ｄ  折り代
８２ｄ  上谷折線
８３ｄ  下谷折線
８５ｄ  折り代部谷折線
８６ｄ  左谷折線
８７ｄ  右谷折線
９８ｄ  説明のための切り取り線
９９ｄ  説明のためのカクレ線
１１ｅ  表側部分
１２ｅ  蓋
１３ｅ  底部分
１４ｅ  左糊下
１５ｅ  右糊下
２６ｅ  左裁断開口縁
２７ｅ  右裁断開口縁
２９ｅ  開口部
４３ｅ  左屈曲開口縁
４４ｅ  中屈曲開口縁
４５ｅ  右屈曲開口縁
５３ｅ  左折り代
５４ｅ  中折り代
５５ｅ  右折り代
８２ｅ  上谷折線
８３ｅ  下谷折線
８４ｅ  折り代部谷折線
８６ｅ  左谷折線
８７ｅ  右谷折線
９３ｅ  左山折線
９５ｅ  右山折線
９９ｅ  説明のためのカクレ線
１１ｆ  表側部分
１２ｆ  蓋
１３ｆ  底部分
１６ｆ  左裏側部分
１７ｆ  右裏側部分
２３ｆ  中裁断開口縁
２６ｆ  左裁断開口縁
２７ｆ  右裁断開口縁
２９ｆ  開口部
３３ｆ  中開口縁相当部分
３６ｆ  左開口縁相当部分
３７ｆ  右開口縁相当部分
４６ｆ  左屈曲開口縁
４７ｆ  右屈曲開口縁
５６ｆ  左折り代
５７ｆ  右折り代
８２ｆ  上谷折線
８３ｆ  下谷折線
８６ｆ  左谷折線
８７ｆ  右谷折線
９６ｆ  左山折線
９７ｆ  右山折線
１１ｚ  表側部分
１２ｚ  蓋
１３ｚ  底部分
１６ｚ  左裏側部分
１７ｚ  右裏側部分
２６ｚ  左裁断開口縁
２７ｚ  右裁断開口縁
２９ｚ  開口部
３６ｚ  左開口縁相当部分
３７ｚ  右開口縁相当部分
８２ｚ  上谷折線
８３ｚ  下谷折線
８６ｚ  左谷折線
８７ｚ  右谷折線
【図１】
2013220852.tif 000003
【図２】
2013220852.tif 000004
【図３】
2013220852.tif 000005
【図４】
2013220852.tif 000006
【図５】
2013220852.tif 000007
【図６】
2013220852.tif 000008
【図７】
2013220852.tif 000009
【図８】
2013220852.tif 000010
【図９】
2013220852.tif 000011
【図１０】
2013220852.tif 000012
【図１１】
2013220852.tif 000013
【図１２】
2013220852.tif 000014
【図１３】
2013220852.tif 000015
【図１４】
2013220852.tif 000016
【図１５】
2013220852.tif 000017
【図１６】
2013220852.tif 000018
【図１７】
2013220852.tif 000019
【図１８】
2013220852.tif 000020
【図１９】
2013220852.tif 000021
【図２０】
2013220852.tif 000022
【図２１】
2013220852.tif 000023